(57)【要約】【課題】先発医療情報とともに追跡情報をメディアＭに記憶させる医療情報提供装置、プログラム及び記憶媒体と、当該メディアを運用する医療情報提供システムを提供する。【解決手段】追跡情報には患者又は検査を特定する情報とし、これをメディアＭに記憶する。メディアＭの閲覧者は、追跡情報に基づき後発医療情報の有無を把握し、当該後発医療情報を取得することができる。【選択図】図１
2010079319.tif 000002
【特許請求の範囲】
【請求項１】
後発的に得られる後発医療情報の有無を示す追跡情報を生成し、既に得られている先発医療情報に前記追跡情報を含ませた追跡情報付医療情報を生成する制御手段と、
前記制御手段により生成された前記追跡情報付医療情報を可搬型記憶媒体に記憶させる書込手段と、
を備えた医療情報提供装置。
【請求項２】
前記追跡情報は、患者又は検査を特定するための情報であることを特徴とする請求項１に記載の医療情報提供装置。
【請求項３】
コンピュータを、
後発的に得られる後発医療情報の有無を示す追跡情報を生成し、既に得られている先発医療情報に前記追跡情報を含ませた追跡情報付医療情報を生成する制御手段、
前記制御手段により生成された前記追跡情報付医療情報を可搬型記憶媒体に記憶させる書込手段、
として機能させるためのプログラム。
【請求項４】
後発的に得られる後発医療情報の有無を示す追跡情報が記憶されているコンピュータ読取り可能な記憶媒体。
【請求項５】
後発的に得られる後発医療情報の有無を示す追跡情報を生成し、既に得られている先発医療情報に前記追跡情報を含ませた追跡情報付医療情報を生成する制御手段、前記制御手段により生成された前記追跡情報付医療情報を可搬型記憶媒体へ記憶させる書込手段、を備えた医療情報提供装置と、
前記追跡情報に基づいて取得される後発医療情報を格納する格納手段と、
前記可搬型記憶媒体から前記追跡情報付医療情報を読み出す読出手段、前記格納手段から前記追跡情報に対応する後発医療情報を取得する取得制御手段、を備えた医療情報処理装置と、
からなる医療情報提供システム。
【発明の詳細な説明】
【技術分野】
【０００１】
本発明は、医療情報を可搬媒体へ記憶させる医療情報提供装置及びプログラムと、当該医療情報が記憶された可搬媒体を利用する医療情報提供システムに関する。
【背景技術】
【０００２】
近年、多くの医療機関において医療情報の電子化が図られている。ネットワーク技術を利用した電子カルテシステムはその一例であり、従来の紙カルテと比較して情報の保管に場所をとらず、検索を迅速に行うことができる。電子カルテシステムを利用した技術として、例えば特許文献１で開示されている地域電子カルテシステムがある。これによれば、ある医療機関で作成された電子カルテはネットワークを通じて共有データベースへ保管される。他の医療機関はここで保管されている電子カルテを相互に利用することができ、患者の受診する医療機関がどこであっても常に１つのカルテで足りる１患者１カルテを実現することが可能となる。これにより、医療機関の間で一人の患者に対して重複した検査を低減させ、患者の検査負担を軽減させることができる。
【特許文献１】特開２００１−１５５１００号公報
【発明の開示】
【発明が解決しようとする課題】
【０００３】
しかし、上記のような電子カルテシステムでは、複数の医療機関が共有データベースと相互にネットワーク接続されていることが前提となる。このような電子カルテシステムを確立させようとすると、設備の整備に多大なコストが必要となる。また、共有データベースにネットワーク接続されていない医療機関では、従来どおり新たに来院してきた患者に対しては新たに電子カルテの作成を行う必要がある。
【０００４】
上記ネットワークシステムの推進を図る一方で、ＣＤ−Ｒ（Compact Disk Recordable）やＤＶＤ（Digital Versatile Disc）等の可搬型媒体（メディア）へデジタル化された医療情報を保管する運用も図られている。これによれば、患者はある医療機関で作成されたメディアを譲り受け、これを他の医療機関へ持ち運ぶことにより当該他の医療機関はメディアに記憶されている診察情報や検査情報等から自己の診断に利用することができる。従って、多大なコストをかけてネットワークのインフラ整備を行う必要はない。
【０００５】
一方、医療情報をメディアへ保管して運用する場合、メディア作成時に得られている医療情報しかメディアに書込むことができないという問題が生じてしまう。通常、メディアは患者が診察を受けたときに作成されて患者に手渡されるが、例えば医療情報に生理検査や病理検査のように検査結果が得られるまで１、２週間を要する検査が含まれる場合には、診察時にこれら検査結果が得られないため、メディアに書込むことができない。また、このような後発的に得られる当該検査結果の存在を患者が認識していない場合もある。これらの場合、患者はこのメディアを他の医療機関へ持ち運んだとしても書込まれていない検査情報については再度同一の検査を受けることとなる場合があり、迅速な診療に資さない。
【０００６】
本発明は、後発的に得られる医療情報の取得を容易にすることである。
【課題を解決するための手段】
【０００７】
請求項１に記載の発明は、
後発的に得られる後発医療情報の有無を示す追跡情報を生成し、既に得られている先発医療情報に前記追跡情報を含ませた追跡情報付医療情報を生成する制御手段と、
前記制御手段により生成された前記追跡情報付医療情報を可搬型記憶媒体に記憶させる書込手段と、
を備えることを特徴としている。
【０００８】
請求項２に記載の発明は、
前記追跡情報は、患者又は検査を特定するための情報であることを特徴としている。
【０００９】
請求項３に記載の発明は、
コンピュータを、
後発的に得られる後発医療情報の有無を示す追跡情報を生成し、既に得られている先発医療情報に前記追跡情報を含ませた追跡情報付医療情報を生成する制御手段、
前記制御手段により生成された前記追跡情報付医療情報を可搬型記憶媒体に記憶させる書込手段、
として機能させることを特徴としている。
【００１０】
請求項４に記載の発明は、
後発的に得られる後発医療情報の有無を示す追跡情報が記憶されていることを特徴としている。
【００１１】
請求項５に記載の発明は、
後発的に得られる後発医療情報の有無を示す追跡情報を生成し、既に得られている先発医療情報に前記追跡情報を含ませた追跡情報付医療情報を生成する制御手段、前記制御手段により生成された前記追跡情報付医療情報を可搬型記憶媒体へ記憶させる書込手段、を備えた医療情報提供装置と、
前記追跡情報に基づいて取得される後発医療情報を格納する格納手段と、
前記可搬型記憶媒体から前記追跡情報付医療情報を読み出す読出手段、前記格納手段から前記追跡情報に対応する後発医療情報を取得する取得制御手段、を備えた医療情報処理装置と、
からなることを特徴としている。  
【発明の効果】
【００１２】
請求項１〜４に記載の発明によれば、
現在得られている先発医療情報及び後に得られる予定の後発医療情報の有無を示す追跡情報を、可搬型記憶媒体へ記憶させる。後発医療情報には、検査して数週間後に結果がでる生理検査や病理検査等がある。また、追跡情報は、後発医療情報の有無を示すフラグがあり、患者又は検査を特定する受付番号や検査日等の情報、検査結果が出る日付情報等からなる。この追跡情報によって、患者は可搬型記憶媒体に記憶されていない検査結果を容易に把握することができる。この可搬型記憶媒体によって、患者は後発医療情報の有無を認識することができるとともに当該後発医療情報を迅速かつ適切に取得することができる。
【００１３】
請求項５に記載の発明によれば、
患者が検査を受けた第１医療機関とは異なる第２医療機関へ自己の医療情報が記憶されている可搬型記憶媒体を持ち運んだ場合、第２医療機関は追跡情報に基づき当該可搬型記憶媒体には記憶されていない検査結果を第１医療機関から取得する。これにより、患者は検査を行った医療機関とは異なる医療機関で診察した場合であっても検査の重複を防止することができ、継続した診察を受けることができる。また、医療機関側は後発医療情報を容易に認識し取得することができるため迅速な診察を図ることができる。
【発明を実施するための最良の形態】
【００１４】
以下、本発明に係る医療情報提供装置について最適な実施形態の構成及び動作について図面を用いて詳細に説明する。
【００１５】
まず、図１に本実施の形態に係る医療情報提供装置を含む医療情報提供システム１００を示す。図１に示すように、医療情報提供システム１００は医療情報提供装置１０、医療情報処理装置２０及び医療情報提供装置１０の備える図示しない格納手段から構成される。医療情報提供装置１０と医療情報処理装置２０とは通信回線Ｎを介して相互に通信可能である。なお、通信回線ＮはＬＡＮ（Local Area Network）又は専用回線等で接続されていればよいが、本発明においては両医療機関が必ずしも通信可能であること必要はない。
【００１６】
医療情報提供装置１０は、第１医療機関に設置されている。医療情報提供装置１０は、患者が来院して検査を受けた際に得られた検査結果等の医療情報を、ＣＤ−Ｒ等の可搬型記憶媒体（以下「メディア」という）Ｍを用いて患者に提供するものである。なお、「医療情報」とは、患者の身体情報、行った検査内容、検査結果等の検査に関する情報や診察内容を示す電子カルテ等、患者の診察に関する情報を総括したものをいう。
【００１７】
医療情報処理装置２０は、第２医療機関に設置されている。医療情報処理装置２０は、患者が第１医療機関で受け取ったメディアＭ内のデータを読込んでメディアＭに記憶されている患者の医療情報を表示し、患者や医療従事者等の閲覧に供する。
【００１８】
また、検査センターＣは、患者が第１医療機関で受けた検査の内、特定の検査について解析を行う。特定の検査とは、例えば生理検査や病理検査等の医療機関から請け負って行う検査が該当し、患者が検査を受けてから検査結果を出すまでに所定期間が必要な検査をいう。検査センターＣは、特定の検査の解析結果が得られた時点で第１医療機関に当該解析結果を送付する。従って、患者が第１医療機関でメディアＭを受け取った時には検査センターＣでの解析結果は記憶されないこととなる。このように、検査実施時と結果取得時とが異なり、メディアＭ作成時より後発的に得られる医療情報を、「後発医療情報」ということとする。また、検査実施時と結果取得時とが同時期であって、メディアＭ作成時には既に得られている医療情報を「先発医療情報」とし、区別して以下説明する。
【００１９】
図２に、医療情報提供装置１０の内部構成を示す。
医療情報提供装置１０は、制御部１、記憶部２、Ｉ／Ｆ部３、入力部４、表示部５、通信部６から構成される。なお、医療情報処理装置２０の基本的な構成機能は、医療情報提供装置１０と同一であるためここでの説明は省略する。
【００２０】
制御部１は、図示しないＣＰＵ（Central Processing Unit）、ＲＡＭ（Random Access Memory）等から構成され、記憶部２に格納される所定のプログラムをＲＡＭに展開し、当該プログラムとの協働により処理動作を統括的に制御する。
また、制御部１はメディアＭに記憶する先発医療情報をＲＡＭへ一時的に保存し、追跡情報を付加させた新たな医療情報（以下、「追跡情報付医療情報」という）を生成させて当該追跡情報付医療情報をメディアＭへ書込む一連の書込処理の実行を制御する。追跡情報とは、患者又は検査を特定するための情報であって、後発医療情報を取得するための情報である。
【００２１】
記憶部２は、システムプログラムの他に、追跡情報の生成に関する実行プログラム、追跡情報付医療情報の生成に関する実行プログラム、医療情報をメディアＭに書込む書込みに関する実行プログラム、Ｉ／Ｆ部３の制御プログラム等各種プログラムを備え、各プログラムで処理されたデータ等を記憶する。また、記憶部２は患者の医療情報や追跡情報等を格納する。
【００２２】
ここで、図３に記憶部２が記憶する追跡情報の一例である追跡情報テーブル２００を示す。追跡情報テーブル２００には、診察を受けた患者を示す患者ＩＤ、患者が受けた検査を示す検査ＵＩＤ、受診日に患者に付与された受付番号、検査日時、検査実施機関、検査サマリーから構成される。なお、これらに限らず他に検査実施医師や担当医師等の情報を付加させてもよい。
【００２３】
患者ＩＤ（IDentification）は、患者を個別に識別するための識別情報、検査ＵＩＤ（Unique IDentification）は、検査ごとに発行される検査識別情報である。受付番号及び検査日時は、患者が来院した際に医療機関が事務処理上の便宜のために発行する識別情報である。検査実施機関は、本実施形態であれば第１医療機関となる。
【００２４】
検査サマリーは、実施した検査の検査項目、検査結果の要約を示す情報である。検査撮影を示す「画像」、血液検査を示す「血液」、病理検査を示す「病理」、身体計測検査を示す「身体計測」の検査項目ごとに、既に検査結果が得られているか否かを示すフラグ情報が設定される。フラグ情報は既に検査結果が得られている場合には「ＯＮ」、未取得である場合には「ＯＦＦ」が設定される。よって、この検査サマリーを参照することにより、現時点では未取得であるが後発的に取得予定である検査結果を把握することができる。図３では、血液検査及び病理検査の結果が現時点で未取得の状態である。
【００２５】
追跡情報としては少なくとも患者又は検査を特定する情報があれば、第２医療機関では後発医療情報を取得することができる。従って、患者又は検査を特定することが可能であれば、追跡情報として必ずしも追跡情報テーブル２００に挙げた全ての項目の追跡情報を書込む必要はない。
【００２６】
患者を特定する情報は、第２医療機関側では第１医療機関へ後発医療情報の問合せを行う際に、どの患者の後発医療情報を要求するのかを特定するために必要である。また、問合せを受けた第１医療機関側では当該患者に関する情報の有無やセキュリティ認証等に必要となる。
検査を特定する情報は、第２医療機関の医療従事者がメディアＭを持ち込んだ患者に対して後発医療情報の有無等を把握するために必要であり、一方問合せを受けた第１医療機関では後発医療情報の問合せにおいて、どの検査に係る後発医療情報を要求するのかを特定するために必要となる。
【００２７】
追跡情報テーブル２００は、一方では医療情報提供装置１０の記憶部２に格納され、他方ではメディアＭに記憶されることとなる。このメディアＭは患者によって第２医療機関へ持ち運ばれる。よって、医療情報提供装置１０と医療情報処理装置２０が保持する２つの追跡情報テーブル２００を照合することにより、医療情報提供装置１０又は医療情報処理装置２０は、患者の特定や後発医療情報の詳細情報の認識を迅速かつ適切に行うことができる。
【００２８】
なお、上記の追跡情報テーブル２００にある追跡情報は複数ある一部のものである。従って、例えば追跡情報に検査結果が出る期日にアラーム通知を行うような時限プログラムを含ませることとしてもよい。この場合、医療情報処理装置２０はメディアＭからアラーム通知を受けた後に医療情報提供装置１０へ問合せ要求を行えばよく、時限プログラムはアラーム通知までの間に行われる無駄な問合せを防止する。
【００２９】
Ｉ／Ｆ部３は、制御部１の制御に従ってメディアＭへ追跡情報を付加させた追跡情報付医療情報を記憶させる書込処理を行う。
【００３０】
入力部４は、数字キー、文字キー、機能キー等を有するキーボードや、マウス等を備えて構成され、操作されたキーに対応する操作信号を制御部１に出力する。
【００３１】
表示部５は、ＬＣＤ（Liquid Crystal Display）等から構成される表示手段である。また、表示部５は、入力部４と一体型のタッチパネルを構成する態様としてもよい。
【００３２】
通信部６は、ネットワークインターフェイスカードやモデム等の通信用のインターフェイスを備えて構成され、通信回線Ｎ上の医療情報処理装置２０と、相互に情報の送受信を行う。
【００３３】
次に、図４を参照して、メディアＭへ追跡情報付医療情報の書込処理が行われるまでに医療情報提供装置１０が実行する処理動作について説明する。なお、医療情報提供装置１０が行う書込処理は、制御部１と記憶部２の備える所定のプログラムとの協働により実行される。
【００３４】
制御部１は、第１医療機関で検査を受けた患者の医療情報を医療情報提供装置１０の記憶部２へ保存される（ステップＳ１）。
【００３５】
ここで保存される医療情報は、追跡情報テーブル２００に表示される各情報の他、例えばＭＲＩ（Magnetic Resonance Imaging）やＣＴ（Computed Tomography）等の医用画像や電子カルテも含まれる。すなわち、医療情報提供装置１０は来院した患者に関する全医療情報を保管する。なお、本実施形態において、記憶部２は医療情報提供装置１０が備えることとしたがこれに限らず、図示しないサーバが記憶部２を備え、この記憶部２が医療情報提供装置１０の通信部６と通信することにより上記の全医療情報の共有を図ることとしてもよい。
【００３６】
制御部１は、検査センターＣへ解析依頼の必要がある生理検査や病理検査等の後発医療情報に関して基礎情報を生成し、記憶部２へ保存する（ステップＳ２）。基礎情報としては、検査結果の取得予定日や検査センターＣへの問合せ情報等が含まれる。この基礎情報は、後日に検査センターＣから送付された検査の解析結果がどの患者のどの検査結果であるかを識別し、後発医療情報として管理するために利用される。
【００３７】
患者に関する全医療情報及び基礎情報が記憶部２へ保存された後、書込処理の前段階として、制御部１は追跡情報を生成する（ステップＳ３）。追跡情報は、制御部１が記憶部２の備える所定のプログラムを実行することにより、記憶部２に保存されている患者の全医療情報及び基礎情報に基づき生成される。追跡情報の生成の後、制御部１はメディアＭへ記憶させるのに必要な情報に生成した追跡情報を含ませた追跡情報付医療情報の書込処理を実行する（ステップＳ４）。
ここで、メディアＭに記憶させる必要な情報には、主に患者情報や電子カルテ等の文字情報とする。これは、メディアＭに記憶させることが可能な情報量は有限であるためである。情報量の大きい医用画像等については、当該医用画像の格納場所を示すＵＲＬ（Uniform Resource Locator）等をメディアＭへ記憶することとする。
【００３８】
書込処理は、Ｉ／Ｆ部３の所定の位置へセットされたメディアＭに対して、制御部１が記憶部２の備える書込プログラムを制御することによって実行される。なお、ここで用いられるメディアＭはＣＤ−ＲやＤＶＤといった円盤型の可搬型記憶媒体に限らず、ページャのような通信機能を備えた可搬型記憶媒体であってもよい。メディアＭがページャの場合、医療情報提供装置１０が後発医療情報を取得した時点でページャの保持者へその旨の通知を行うことが可能である。
【００３９】
第１医療機関が検査センターＣから検査の解析結果を取得すると、制御部１は追跡情報テーブル２００のフラグを更新してこの設定を保存し（ステップＳ５）、本処理は終了する。
【００４０】
本処理によれば、メディアＭへの書込処理時には検査結果が出ていない後発医療情報については、その手がかりとなる追跡情報を生成してメディアＭへ記憶させる。メディアＭの閲覧者は、後発医療情報が後に取得可能となる時期、後発医療情報の検査内容及び問合せ先等を容易に把握することが可能である。患者は、メディアＭを譲り受けた医療機関以外の他の医療機関においても、メディアＭを持ち運ぶことによりこれまでの診察を継続して受けることが可能となる。
【００４１】
次に、図５を参照して、メディアＭを用いた一連の問合せ処理について説明する。
患者は、第１医療機関で作成されたメディアＭを第２医療機関へ持ち運ぶ。
第２医療機関に患者から持ち運ばれたメディアＭを医療情報処理装置２０にセットすると、医療情報処理装置２０は図５に示す一連の問合せ処理を開始する。
まず、医療情報処理装置２０では、Ｉ／Ｆ部においてメディアＭ内のデータを読込み、表示部上に表示する（ステップＳ１１）。
【００４２】
メディアＭ内には先発医療情報の他、追跡情報が書込まれているので、医療情報処理装置２０は、先発医療情報に基づき、第１医療機関で患者が実施した検査の検査結果や電子カルテ等の診察結果を表示する。一方で、医療情報処理装置２０の制御部は追跡情報に基づいて現在解析中の検査であって後日に取得予定である検査結果（後発医療情報）の有無についても表示する。このときの表示態様としては、リスト表示させることとしてもよいし、電子カルテの所定の個所にマウスを配置すると関連した後発医療情報のコメントが表示されることとしてもよい。
なお、第１医療機関の医療情報提供装置１０では後発医療情報の全てが記憶部２に保存された時点で、制御部１の制御によりメディアＭ保持者に対し、後発医療情報が取得された旨の通知を行う。このときの通知手段としては、例えばメディアＭ保持者への電子メールやメディアＭがページャであればアラーム等がある。
【００４３】
医療情報処理装置２０では、図示しない制御部によりメディアＭから読込まれた追跡情報が参照され、当該追跡情報に基づいて後発的医療情報の有無を判別する（ステップＳ１２）。追跡情報は図３に示した追跡情報テーブル２００と同様の内容であるので、制御部は検査サマリーの項目において設定されているフラグ情報を参照し、「ＯＦＦ」に設定されている検査項目の有無を判別する。全て「ＯＮ」に設定されている場合、制御部は後発医療情報がなく（ステップＳ１２；Ｎｏ）、全ての医療情報が取得されたと判別し、本処理を終了する。
【００４４】
一方、「ＯＦＦ」に設定されている検査項目があり、後発医療情報がある場合（ステップＳ１２；Ｙｅｓ）、制御部は第１医療機関の医療情報提供装置１０に対し、当該「ＯＦＦ」設定されている検査項目について後発医療情報の問合わせ及び送信要求を行う（ステップＳ１３）。なお、医療情報処理装置２０側が「ＯＦＦ」設定されている検査項目について医療情報提供装置１０側へ問合わせるタイミングとしては、医療情報提供装置１０側で全ての検査項目が「ＯＮ」設定となった時点でメディアＭ保持者に対しＥメール等により通知した後とする。
【００４５】
後発医療情報の問合せ及び送信要求は、医療情報処理装置２０の備える図示しない通信部を介して追跡情報を第１医療機関へ送信することにより行われる。なお、追跡情報の送信は第１医療機関と第２医療機関とが接続されている通信回線Ｎを介して行われる。また、通信回線Ｎを介さずとも、メディアＭの操作者が取得した追跡情報に基づいて、患者ＩＤや検査ＵＩＤを第１医療機関へ提示することで同様の処理を実行することができる。
【００４６】
メディアＭ内の後発医療情報について問合せ及び送信要求を受けた医療情報提供装置１０は、医療情報処理装置２０から取得した追跡情報に基づいて後発医療情報を検索し、当該後発医療情報を医療情報処理装置２０へ送信する（ステップＳ１４）。
【００４７】
医療情報処理装置２０は、医療情報提供装置１０から後発医療情報を受信してこれを表示し又は保存することで（ステップＳ１５）、本処理は終了する。
【００４８】
以上のように、本実施形態によれば、医療情報提供装置１０によってメディアＭが作成された時点では検査結果が出ておらず、メディアＭへ当該検査結果を記憶させることが出来ないが後発的には得られる後発医療情報がある場合に、この後発医療情報を取得するための情報として追跡情報を生成しメディアＭへ記憶させる。
追跡情報は、少なくとも患者又は検査を特定することができる情報であって、検査は実施したが結果が未取得である後発医療情報の存在をメディアＭの閲覧者へ認識させることができる情報であればよい。この追跡情報によって、患者は検査を受けた医療機関とは異なる他の医療機関で診察を受ける場合であってもこれまでの診察を継続して受けることができる。医療機関側でも、メディアＭに記憶された情報により重複した検査を実施せずに済み、患者への負担を軽減させることができる。
【００４９】
また、上記実施形態における医療情報提供システム１００では、第１医療機関と第２医療機関とが通信回線Ｎを介して直接接続されている態様としたがこれに限らない。
例えば、図５のように医療情報提供装置１０と医療情報処理装置２０との間にデータセンターＤを配置し、このデータセンターＤにそれぞれの医療機関が接続する態様としても良い。これによれば、医療情報提供装置１０は検査センターＣから取得した後発医療情報をデータセンターＤへ送信する。データセンターＤは、図示しない格納手段へ医療情報提供装置１０から送信されてきた後発医療情報を保存する。また、その他データセンターＤは、医療情報提供装置１０から送られてくる先発医療情報、追跡情報等の各医療情報も保存する。患者が第２医療機関へメディアＭを持ち運んだ場合、医療情報処理装置２０は後発医療情報の問合せ及び送信要求をデータセンターＤに対して行う。
【００５０】
この実施形態によれば、医療情報提供システム１００にデータセンターＤを配置することで後発医療情報及びその他必要な医療情報を共有化することができ、医療機関が複数存在する場合であっても後発医療情報及び必要な医療情報の問合せ先は１つで足り、ネットワークの複雑化や情報の錯綜を防止することができる。
【図面の簡単な説明】
【００５１】
【図１】本実施形態における医療情報提供システムの全体構成である。
【図２】医療情報提供装置の内部構成である。
【図３】後発医療情報を取得する際に必要な追跡情報テーブルの一例である。
【図４】医療情報提供装置の処理動作を説明するフローチャートである。
【図５】メディアを用いた後発医療情報の運用を説明するフローチャートである。
【図６】他の実施形態における医療情報提供システムの全体構成である。
【符号の説明】
【００５２】
１００  医療情報提供システム
１０  医療情報提供装置
２０  医療情報処理装置
Ｃ  検査センター
Ｄ  データセンター
【図１】
2010079319.tif 000003
【図２】
2010079319.tif 000004
【図３】
2010079319.tif 000005
【図４】
2010079319.tif 000006
【図５】
2010079319.tif 000007
【図６】
2010079319.tif 000008